(57)【要約】【課題】  蓋部材を駆動装置によって駆動し、蓋部材の開く動作に連動して玩具体が表出し、蓋部材から玩具体を脱離させることができる玩具箱を提供する。【解決手段】  玩具箱１は、箱本体２と、箱本体２に設けられた蓋部材４０と、蓋部材４０を開閉させる駆動装置７０と、蓋部材４０に着脱可能に取り付けられた玩具体５１とからなる。蓋部材４０には、第１の磁石部材５０が設けられ、玩具体５１には、強磁性体で形成された環状の係止具５５が設けられている。玩具体５１は、第１の磁石部材５０に係止具５５が吸着されて蓋部材４０に取り付けられている。【選択図】        図１
2006061603.tif 000002
【特許請求の範囲】
【請求項１】
箱本体と、
前記箱本体に開閉可能に設けられた蓋部材と、
前記箱本体内に設けられ、前記蓋部材を開閉させる駆動装置と、
前記箱本体内に設けられ、前記蓋部材に着脱可能に取り付けられた玩具体とからなることを特徴とする玩具箱。
【請求項２】
前記蓋部材又は前記玩具体の一方に第１の磁石部材が設けられ、前記蓋部材又は前記玩具体の他方に強磁性体又は第２の磁石部材が設けられ、前記第１の磁石部材と前記強磁性体又は前記第１の磁石部材と前記第２の磁石部材との吸着によって前記蓋部材に前記玩具体が取り付けられていることを特徴とする請求項１記載の玩具箱。
【請求項３】
前記蓋部材に第１の磁石部材が設けられ、前記玩具体に強磁性体で形成された環状の係止具が設けられ、前記第１の磁石部材に前記係止具が吸着されて前記蓋部材に前記玩具体が取り付けられていることを特徴とする請求項１記載の玩具箱。
【請求項４】
前記玩具体の一側には、摺接突起を備えたガイド突起が設けられ、
前記箱本体には、前記玩具体の前記ガイド突起を前記蓋部材の開閉方向に案内する案内溝と、前記摺接突起と摺接して前記玩具体を揺らす凸起が設けられていることを特徴とする請求項１、２又は３記載の玩具箱。
【請求項５】
前記駆動装置には、駆動モータと、回転カムと、駆動モータの回転を回転カムに伝達する歯車群とを有し、
前記回転カムには、係合溝が形成されており、
前記蓋部材は、前記回転カムの前記係合溝と摺動自在に係合する係合突起が形成された係合杆を有し、前記回転カムの回転に連動して開閉するように構成されていることを特徴とする請求項１乃至４のいずれか１項に記載の玩具箱。
【請求項６】
前記駆動装置には、駆動モータと、回転カムと、少なくとも一つの爪車と、前記駆動モータの回転を前記回転カム又は前記少なくとも一つの爪車に伝達する歯車群とを有し、
前記回転カムには、係合溝が形成されており、
前記蓋部材は、前記回転カムの前記係合溝と摺動自在に係合する係合突起が形成され係合杆を有し、前記回転カムの回転に連動して開閉するように構成され、
前記箱本体には、少なくとも一つの出没部材が回動可能に設けられ、
前記出没部材は、前記箱本体の底壁に形成された開口から先部が突出し、前記爪車の回転によって間欠的に押圧され、前記箱本体を振動させるように構成されていることを特徴とする請求項１乃至４のいずれか１項に記載の玩具箱。
【請求項７】
前記歯車群は、前記回転カムに回転を伝達する第１の従動歯車と、前記爪車側に回転を伝達する第２の従動歯車と、前記駆動モータの一方向の回転を前記第１の従動歯車に伝達し、前記駆動モータの他方向の回転を前記第２の従動歯車に伝達する移動歯車とを有することを特徴とする請求項６記載の玩具箱。
【請求項８】
前記箱本体には、前記駆動装置の駆動及び停止を制御する制御回路と、外部の音を検出して前記制御回路に検出信号を送信する音センサが設けられ、前記制御回路は前記音センサの検出信号により前記駆動装置の駆動を制御するようになっていることを特徴とする請求項１乃至７のいずれか１項に記載の玩具箱。
【発明の詳細な説明】
【技術分野】
【０００１】
この発明は、箱本体に設けられた駆動装置によって蓋部材が開閉し、箱本体内から玩具体が表出する玩具箱に関するものである。
【背景技術】
【０００２】
従来の玩具箱は、箱本体と、箱本体に開閉可能にヒンジ連結された蓋部材と、箱本体内に設けられた玩具体と、玩具体を駆動する駆動装置と、コインを検出して駆動装置をオン・オフするコイン検出部とからなる。コインをコイン検出部に置くと、駆動装置がオンされ、玩具体を駆動する。玩具体は、蓋部材を開きながら表出し、箱体内に復帰すると蓋部材を閉じる。（例えば、特許文献１）。
【特許文献１】特公昭４３−１７３６１号公報
【発明の開示】
【発明が解決しようとする課題】
【０００３】
上記した従来の玩具箱は、蓋部材が箱本体に開閉可能に設けられているだけで、箱本体内の玩具体が蓋部材を押し開ける構造であり、玩具体が駆動機構に組み込まれているので、玩具体を箱体内から取り出すことはできなかった。
【０００４】
本願発明は、上記問題点に鑑み案出したものであって、蓋部材を駆動装置によって駆動し、蓋部材の開く動作に連動して玩具体が表出し、蓋部材から玩具体を脱離させることができる玩具箱を提供すること目的とする。
【課題を解決するための手段】
【０００５】
本願請求項１に係る玩具箱は、上記目的を達成するため、箱本体と、前記箱本体に開閉可能に設けられた蓋部材と、前記箱本体内に設けられ、前記蓋部材を開閉させる駆動装置と、前記箱本体内に設けられ、前記蓋部材に着脱可能に取り付けられた玩具体とからなる。
【０００６】
本願請求項２に係る玩具箱は、上記目的を達成するため、前記蓋部材又は前記玩具体の一方に第１の磁石部材が設けられ、前記蓋部材又は前記玩具体の他方に強磁性体又は第２の磁石部材が設けられ、前記第１の磁石部材と前記強磁性体又は前記第１の磁石部材と前記第２の磁石部材との吸着によって前記蓋部材に前記玩具体が取り付けられている。
【０００７】
本願請求項３に係る玩具箱は、上記目的を達成するため、前記蓋部材に第１の磁石部材が設けられ、前記玩具体に強磁性体で形成された環状の係止具が設けられ、前記第１の磁石部材に前記係止具が吸着されて前記蓋部材に前記玩具体が取り付けられている。
【０００８】
本願請求項４に係る玩具箱は、上記目的を達成するため、前記玩具体の一側には、摺接突起を備えたガイド突起が設けられ、前記箱本体には、前記玩具体の前記ガイド突起を前記蓋部材の開閉方向に案内する案内溝と、前記摺接突起と摺接して前記玩具体を揺らす凸起が設けられている。
【０００９】
本願請求項５に係る玩具箱は、上記目的を達成するため、前記駆動装置には、駆動モータと、回転カムと、駆動モータの回転を回転カムに伝達する歯車群とを有し、前記回転カムには、係合溝が形成されており、前記蓋部材は、前記回転カムの前記係合溝と摺動自在に係合する係合突起が形成された係合杆を有し、前記回転カムの回転に連動して開閉するように構成されている。
【００１０】
本願請求項６に係る玩具箱は、上記目的を達成するため、前記駆動装置には、駆動モータと、回転カムと、少なくとも一つの爪車と、前記駆動モータの回転を前記回転カム又は前記少なくとも一つの爪車に伝達する歯車群とを有し、前記回転カムには、係合溝が形成されており、前記蓋部材は、前記回転カムの前記係合溝と摺動自在に係合する係合突起が形成され係合杆を有し、前記回転カムの回転に連動して開閉するように構成され、前記箱本体には、少なくとも一つの出没部材が回動可能に設けられ、前記出没部材は、前記箱本体の底壁に形成された開口から先部が突出し、前記爪車の回転によって間欠的に押圧され、前記箱本体を振動させるように構成されている。
【００１１】
本願請求項７に係る玩具箱は、上記目的を達成するため、前記歯車群は、前記回転カムに回転を伝達する第１の従動歯車と、前記爪車側に回転を伝達する第２の従動歯車と、前記駆動モータの一方向の回転を前記第１の従動歯車に伝達し、前記駆動モータの他方向の回転を前記第２の従動歯車に伝達する移動歯車とを有する。
【００１２】
本願請求項８に係る玩具箱は、上記目的を達成するため、前記箱本体には、前記駆動装置の駆動及び停止を制御する制御回路と、外部の音を検出して前記制御回路に検出信号を送信する音センサが設けられ、前記制御回路は前記音センサの検出信号により前記駆動装置の駆動を制御するようになっている。
【発明の効果】
【００１３】
本願発明に係る玩具箱は、蓋部材が駆動装置によって開閉動作を行い、蓋部材に着脱可能に取り付けられた玩具体を、蓋部材の開く動作に連動して表出させることができ、さらに玩具体を蓋部材から離脱させて、箱本体から取り出すことができるという効果がある。
【００１４】
本願発明に係る玩具箱は、蓋部材への玩具体の取り付けが、磁石同士又は磁石と強磁性体の吸着による連結で行われているので、玩具体の着脱が極めて容易であるという効果がある。
【００１５】
本願発明に係る玩具箱は、蓋部材への玩具体の取り付けが、磁石と強磁性体で形成された環状の係止具の吸着による連結で行われているので、玩具体の着脱が極めて容易であり、磁石の面に係止具が点接触により連結されているので、玩具体が蓋部材に対して揺れ易くなっており、蓋部材の開く動作に連動して玩具体が揺れながら表出させることができるという効果がある。
【００１６】
本願発明に係る玩具箱は、玩具体のガイド突起が箱本体の案内溝に案内されながら、蓋部材の開く動作に連動して玩具体が開く方向に移動し、この移動中に玩具体の摺接突起が凸起に摺接すると玩具体が揺れるような動作をすることができるので、玩具体の表出を興趣あるものにすることができるという効果がある。
【００１７】
本願発明に係る玩具箱は、駆動モータを回転させると、歯車群を介して回転カムが回転し、回転カムの係合溝に摺動自在に係合する係合突起を備えた係合杆により蓋部材を開閉動作させることができるので、確実に蓋部材を開くことができるという効果がある。
【００１８】
本願発明に係る玩具箱は、駆動モータを回転させると、歯車群を介して回転カム又は爪車が回転し、回転カムが回転すると、回転カムの係合溝に摺動自在に係合する係合突起を備えた係合杆により蓋部材を開閉動作させることができ、爪車が回転すると、出没部材が間欠的に押圧されて、箱本体の底壁に形成された開口から突出する先部が設置面を間欠的に押圧して、箱本体を振動させることができるので、蓋部材の開閉動作と箱本体の振動動作を別々に行わせることができるという効果がある。
【００１９】
本願発明に係る玩具箱は、駆動モータを一方に回転させると、移動歯車が第１の従動歯車と噛み合って回転カムを回転させ、駆動モータを他方に回転させると、移動歯車が第２の従動歯車と噛み合って爪車を回転させるので、駆動モータの回転方向によって、蓋部材の開閉動作と箱本体の振動動作を選択させることができるという効果がある。
【００２０】
本願発明に係る玩具箱は、外部の音を音センサが検出すると、制御回路が音センサの検出信号により駆動装置の駆動を制御するので、興趣ある動き出しをさせることができるという効果がある。
【発明を実施するための最良の形態】
【００２１】
本願発明に係る玩具箱の一つの実施の形態を図１乃至図９に基づいて説明する。図１、２は、玩具箱の一部を切り欠いた上方斜視図である。図３は、玩具箱の一部を切り欠いた下方斜視図である。図４は、玩具箱の下方斜視図である。図５は、玩具箱の側面図である。図６は、玩具箱の側面断面図である。図７は、玩具箱の動作を説明する側面断面図である。図８は、玩具箱の動作を説明する上面図である。図９は、玩具箱の動作を説明する正面図である。図１０は、玩具箱の電気ブロック図である。
【００２２】
玩具箱１は、箱本体２と、前記箱本体２に開閉可能に設けられた蓋部材４０と、前記箱本体２内に設けられ、前記蓋部材４０を開閉させる駆動装置７０と、前記箱本体２内に設けられ、前記蓋部材４０に着脱可能に取り付けられた玩具体５１とからなる。前記蓋部材４０又は前記玩具体５１の一方には、第１の磁石部材５０が設けられている。前記蓋部材４０又は前記玩具体５１の他方には、強磁性体５５又は第２の磁石部材が設けられている。
【００２３】
玩具箱１は、前記第１の磁石部材５０と前記強磁性体５５、又は前記第１の磁石部材５０と前記第２の磁石部材との吸着によって前記蓋部材４０に前記玩具体５１が取り付けられている。なお、具体的には、前記蓋部材４０に第１の磁石部材５０が設けられ、前記玩具体５１に強磁性体で形成された環状の係止具５５が設けられ、前記第１の磁石部材５０に前記係止具５５が吸着されて前記蓋部材４０に前記玩具体５１が取り付けられている。
【００２４】
前記玩具体５１の一側には、摺接突起５７，５８を備えたガイド突起５６が設けられている。前記箱本体２には、前記玩具体５１の前記ガイド突起５６を前記蓋部材４０の開閉方向に案内する案内溝２３と、前記摺接突起５７，５８と摺接して前記玩具体５１を揺らす凸起２９，３１が設けられている。前記駆動装置７０には、駆動モータ７１と、回転カム６１と、駆動モータ７１の回転を回転カム６１に伝達する歯車群７２とを有する。前記回転カム６１には、係合溝６４が形成されている。前記蓋部材４０は、前記回転カム６１の前記係合溝６４と摺動自在に係合する係合突起６０が形成された係合杆５９を有し、前記回転カム６１の回転に連動して開閉するように構成されている。
【００２５】
前記駆動装置７０には、駆動モータ７１と、回転カム６１と、少なくとも一つの爪車９２，９４と、前記駆動モータ７１の回転を前記回転カム６１又は前記少なくとも一つの爪車９２，９４に伝達する歯車群７２とを有する。前記回転カム６１には、係合溝６４が形成されている。前記蓋部材４０は、前記回転カム６１の前記係合溝６４と摺動自在に係合する係合突起６０が形成され係合杆５９を有し、前記回転カム６１の回転に連動して開閉するように構成されている。前記箱本体２には、少なくとも一つの出没部材１０１、１１１が回動可能に設けられている。前記出没部材１０１、１１１は、前記箱本体２の底壁３に形成された開口１８、１９から先部１０３、１１３が突出し、前記爪車９２、９４の回転によって間欠的に押圧され、前記箱本体２を振動させるように構成されている。
【００２６】
前記歯車群７２は、前記回転カム６１に回転を伝達する第１の従動歯車７９と、前記爪車９２、９４側に回転を伝達する第２の従動歯車８３と、前記駆動モータ７１の一方向の回転を前記第１の従動歯車７９に伝達し、前記駆動モータ７１の他方向の回転を前記第２の従動歯車８３に伝達する移動歯車７７とを有する。前記箱本体２には、前記駆動装置７０の駆動及び停止を制御する制御回路９５と、外部の音を検出して前記制御回路９５に検出信号を送信する音センサ９６が設けられ、前記制御回路９５は前記音センサ９６の検出信号により前記駆動装置７０の駆動を制御するようになっている。
【００２７】
さらに玩具箱１について詳細に説明する。図１、４、５に示すように、箱本体２は、底壁３と、底壁３の前部に設けられた前壁５と、底壁３の後部に設けられた後壁６と、底壁３の左部に設けられた左壁７と、底壁３の右部に設けられた右壁９と、前壁５と後壁６と左壁７と右壁９の上部に設けられた仕切壁１０とからなる。仕切壁１０には、第１の凹部１１と、第２の凹部１５が形成されている。第１の凹部１１は、左右方向に長く伸びる第１の底壁１２と、第１の底壁１２の周縁に形成された第１の周壁１３とからなり、第１の周壁１３の上端縁が仕切壁１０に連接されている。第２の凹部１５は、略円形の第２の底壁１６と、第２の底壁１６の周縁に形成された第２の周壁１７とからなり、第２の周壁１７の上端縁が第１の底壁１２に連接されている。
【００２８】
第１の周壁１３の略中央には、断面略コ字状の案内溝２３を備えたガイド部材２１が設けられている。ガイド部材２１の後部には、仕切壁１０と第１の周壁１３に係合し固定される係合段部２２が形成されている。ガイド部材２１は、接着剤、ネジ等の固定手段によって仕切壁１０と第１の周壁１３に固定されているが、仕切壁１０との一体成形によって形成されても構わない。断面略コ字状の案内溝２３は、左ガイド壁２５と右ガイド壁２６によって形成されている。
【００２９】
左ガイド壁２５の前面は、左案内面２７となっており、略中間部に三角状の左凸起２９が形成されている。右ガイド壁２６の前面は、右案内面３０となっており、略中間部に三角状の右凸起３１が形成されている。右凸起３１は、左凸起２９より上方に位置して設けられている。左案内面２７と右案内面３０は、上方にいくに従って後方に緩やかに湾曲している。仕切壁１０の後部左端には、取付板３２が設けられ、取付板３２の後部に支軸３３が設けられている。仕切壁１０の後部右端には、取付板３５が設けられ、取付板３５の後部に前記支軸３３と対向する支軸３６が設けられている。
【００３０】
蓋部材４０には、前記ガイド部材２１によって案内される玩具体５１が着脱可能に取り付けられている。蓋部材４０は、上壁４１と、上壁４１の前部に設けられた前壁４２と、上壁４１の後部に設けられた後壁４３と、上壁４１の左部に設けられた左壁４５と、上壁４１の右部に設けられた右壁４６とで形成され、下部が開放されている。蓋部材４０は、後壁４３近傍の左壁４５に軸受け孔４７が形成され、右壁４６に軸受け孔４７と対向する軸受け孔４９が形成されている。
【００３１】
蓋部材４０は、軸受け孔４７が支軸３３に回動自在に枢支され、軸受け孔４９が支軸３６に回動自在に枢支され、箱本体２に回動可能に取り付けられている。蓋部材４０は、閉じると、前壁４２の下端が箱本体２の前壁５の上端と当接し、後壁４３の下端が箱本体２の後壁６の上端と当接し、左壁４５の下端が箱本体２の左壁７の上端と当接し、右壁４６の下端が箱本体２の右壁９の上端と当接する。上壁４１の内面略中央には、磁石片５０が取り付けられている。
【００３２】
玩具体５１は、合成樹脂によって、頭部５２と胴部５３とからなる動物玩具状に形成され、頭部５２に係止具５５が設けられている。係止具５５は、強磁性体によってリング状に形成されている。玩具体５１の頭部５２後面には、ガイド突起５６が一体的に形成され
ている。ガイド突起５６は、玩具体５１の係止具５５が蓋部材４０の磁石片５０に吸着された時、前記ガイド部材２１の案内溝２３によって案内されるように板片状に形成されている。ガイド突起５６には、前記ガイド部材２１の左案内面２７と右案内面３０に摺接する摺接突起５７，５８が形成されている。従って、蓋部材４０が開く方向に回動すると、磁石片５０の磁力によって、玩具体５１も上方に移動する。この玩具体５１の上方への移動は、ガイド突起５６がガイド部材２１の案内溝２３に案内され、摺接突起５７，５８が、前記ガイド部材２１の左案内面２７と右案内面３０に摺接しながら行われる。
【００３３】
図２、３に示すように、前記箱本体２内には、前記蓋部材４０を開閉させる駆動装置７０が設けられている。駆動装置７０は、駆動モータ７１と、回転カム６１と、第１の爪車９４と、第２の爪車９２と、前記駆動モータ７１の回転を前記回転カム６１又は第１の爪車９４及び第２の爪車９２に伝達する歯車群７２とを有する。歯車群７２は、駆動モータ７１の駆動軸に取り付けられたウォーム歯車７３と、ウォーム歯車７３と常時噛み合う移動小歯車７５と、移動小歯車７５と一体の移動ウォーム歯車７７と、移動ウォーム歯車７７と噛み合い可能な第１の従動歯車７９及び第２の従動歯車８３と、第１の従動歯車７９と一体の中間平歯車８０と、中間平歯車８０と常時噛み合う大平歯車８１と、第２の従動歯車８３と常時噛み合う小歯車８５とからなる。
【００３４】
移動小歯車７５と移動ウォーム歯車７７は、回動軸８６に固定して取り付けられている。回動軸８６は、揺動杆８７の先部に回動自在に取り付けられている。揺動杆８７の基部は、箱本体２に設けられた固定軸８９に回動自在に取り付けられている。第１の従動歯車７９、第１の従動歯車７９と一体の中間平歯車８０及び第２の従動歯車８３は、中間軸９１に回動自在に取り付けられている。第１の従動歯車７９と中間平歯車８０は、回胴部材８４によって一体的に連結されている。大平歯車８１は、カム軸６２に固定して設けられている。また、カム軸６２には、回転カム６１が固定して設けられており、回転カム６１は大平歯車８１と共に回転する。
【００３５】
図２に示すように、回転カム６１は、円板状に形成され、大平歯車８１と反対側の側面６３の左側に係合溝６４が形成されている。係合溝６４は、下方にいくに従って回転カム６１の中心から離れていく形状となっており、最終端が回転カム６１の周面６５で開放されている。回転カム６１の周面６５上部には、押圧突起６６が形成されている。回転カム６１の側面６３の右側には、係止ピン６７が設けられている。係止ピン６７には、バネ（弾性部材）６８の一端が係止されている。バネ（弾性部材）６８の他端は、箱本体２に設けられた取付軸３８に係止されている。従って、回転カム６１は、バネ（弾性部材）６８の弾性により、押圧突起６６が上方に位置した状態（初期状態）で位置決めされている。
【００３６】
第２の従動歯車８３には、これと共に回転する第２の爪車９２が固定して設けられている。また、小歯車８５は、回転軸９３に固定して設けられ、回転軸９３には第１の爪車９４が固定して設けられている。前記中間軸９１には、前記第１の爪車９４に押圧され、先部１０３が上下方向に振動する第１の出没部材１０１が回動可能に設けられている。
【００３７】
第１の出没部材１０１は、第１の脚部１０２と、第１の押圧片１０６と、第１の脚部１０２の後部と第１の押圧片１０６の後部を連結する第１の連結部１０４とからなる。第１の連結部１０４には、第１の取付孔１０５が形成されている。第１の脚部１０２は、先部１０３が下方に折曲されている。第１の押圧片１０６は、緩やかに湾曲しており、先端１０７が上方に向いている。第１の出没部材１０１は、前記中間軸９１に第１の取付孔１０５が回動可能に取り付けられ、第１の脚部１０２の先部１０３が底壁３に形成された開口１８から突出し、第１の押圧片１０６の先端１０７が前記第１の爪車９４に間欠的に下方に押圧される。
【００３８】
前記回転軸９３には、前記第２の爪車９２に押圧され先部１１３が上下方向に振動する第２の出没部材１１１が回動可能に設けられている。第２の出没部材１１１は、第２の脚部１１２と、第２の押圧片１１６と、第２の脚部１１２の後部と第２の押圧片１１６の後部を連結する第２の連結部１１４とからなる。第２の連結部１１４には、第２の取付孔１１５が形成されている。第２の脚部１１２は、先部１１３が下方に折曲されている。第２の押圧片１１６は、緩やかに湾曲しており、先端１１７が上方に向いている。第２の出没部材１１１は、前記回転軸９３に第２の取付孔１１５が回動可能に取り付けられ、第２の脚部１１２の先部１１３が底壁３に形成された開口１９から突出し、第２の押圧片１１６の先端１１７が前記第１の爪車９４に間欠的に下方に押圧される。なお、底壁３の略中央には、突起２０が形成され、玩具箱１を不安定にし、ガタつき易くしている。
【００３９】
図１０に示すように、箱本体２には、前記駆動装置７０の駆動モータ７１の駆動及び停止を制御する制御回路９５と、外部の音を検出して前記制御回路９５に検出信号を送信する音センサ９６が設けられている。前記制御回路９５は、前記音センサ９６の検出信号により前記駆動装置７０の駆動モータ７１の駆動を制御するようになっている。また、箱本体２には、制御回路９５を駆動可能状態にするメインスイッチ９７と、前記回転カム６１の押圧突起６６によって駆動モータ７１の駆動を停止させるサブスイッチ９８が設けられている。
【００４０】
玩具箱１は、上記構成を有し、以下のように使用することができる。玩具箱１は、蓋部材４０が閉じている時が初期状態である。図６に示すように、玩具体５１は、第１の凹部１１と第２の凹部１５内に収納されている。メインスイッチ９７をオンにすると制御回路９５が駆動可能状態となる。音センサ９６が音を検出すると、前記制御回路９５に検出信号を送信する。制御回路９５は、内部プログラムに基づいて駆動モータ７１の駆動を制御する。駆動モータ７１の駆動軸を一方に回転すると、駆動モータ７１の駆動軸に取り付けられたウォーム歯車７３も一方に回転し、ウォーム歯車７３と常時噛み合う移動小歯車７５が第２の従動歯車８３側に移動し、移動小歯車７５と一体の移動ウォーム歯車７７が第２の従動歯車８３と噛み合う。第２の従動歯車８３が回転すると、これと共に第２の爪車９２が回転し、また第２の従動歯車８３と噛み合う小歯車８５を介して第１の爪車９４が回転する。
【００４１】
第１の爪車９４が回転すると、第１の爪車９４の周囲に形成された爪によって、第１の出没部材１０１の第１の押圧片１０６の先端１０７が下方に間欠的に押圧され、開口１８から突出する第１の脚部１０２の先部１０３が上下方向に振動する。同様に、第２の爪車９２が回転すると、第２の爪車９２の周囲に形成された爪によって、第２の出没部材１１１の第２の押圧片１１６の先端１１７が下方に間欠的に押圧され、開口１９から突出する第２の脚部１１２の先部１１３が上下方向に振動する。玩具箱１は、底壁３に設けられた突起２０によって、不安定な状態で接地しており、第１の脚部１０２の先部１０３と第２の脚部１１２の先部１１３が上下方向に振動すると、第１の脚部１０２の先部１０３と第２の脚部１１２の先部１１３が設置面を押圧するので、箱本体２全体が細かく揺れる動きをする。
【００４２】
玩具箱１は、制御回路９５が、内部プログラムに基づいて駆動モータ７１の駆動軸を他方に回転すると、駆動モータ７１の駆動軸に取り付けられたウォーム歯車７３も他方に回転し、ウォーム歯車７３と常時噛み合う移動小歯車７５が第１の従動歯車７９側に移動し、移動小歯車７５と一体の移動ウォーム歯車７７が第１の従動歯車７９と噛み合う。この時、移動小歯車７５と一体の移動ウォーム歯車７７が第２の従動歯車８３から外れるので、玩具箱１の揺れは収まる。第１の従動歯車７９が回転すると回胴部材８４を介して中間平歯車８０が回転し、中間平歯車８０と噛み合う大平歯車８１を介して回転カム６１が弾性部材６８の弾性に抗して時計方向に回転する。
【００４３】
回転カム６１が回転すると、係合溝６４に係合している係合杆５９の係合突起６０が係合溝６４の形状に沿って上方に移動し、係合杆５９によって蓋部材４０が支軸３３，３６を中心として開く方向に回動する。蓋部材４０が僅かに開くと、蓋部材４０の前壁４２と箱本体２の前壁５の間に隙間が生じ、その隙間から玩具体５１が覗いているように見える。
【００４４】
玩具箱１は、制御回路９５が、内部プログラムに基づいて駆動モータ７１の駆動軸を一方に回転すると、駆動モータ７１の駆動軸に取り付けられたウォーム歯車７３も一方に回転し、ウォーム歯車７３と常時噛み合う移動小歯車７５が第２の従動歯車８３側に移動し、移動小歯車７５と一体の移動ウォーム歯車７７が第２の従動歯車８３と噛み合い、前述したように箱本体２が細かく揺れ動く。この時、移動小歯車７５と一体の移動ウォーム歯車７７が第１の従動歯車７９から外れるので、回転カム６１が弾性部材６８の弾性復元力により反時計方向に回転して初期状態に復帰し、蓋部材４０が元の閉まった状態に戻る。このように、玩具箱１は、音センサ９６が音を検出すると、細かく揺れたり、蓋部材４０を僅かに開いて、玩具体５１が隙間から覗いているような動きをすることができ、所定時間経過後、蓋部材４０が閉まった状態で制御回路９５が駆動モータ７１を停止する。
【００４５】
また、玩具箱１は、制御回路９５が、内部プログラムに基づいて駆動モータ７１の駆動軸を長い時間他方に回転することがある。係る場合、駆動モータ７１の駆動軸に取り付けられたウォーム歯車７３も他方に回転し、ウォーム歯車７３と常時噛み合う移動小歯車７５が第１の従動歯車７９側に移動し、移動小歯車７５と一体の移動ウォーム歯車７７が第１の従動歯車７９と噛み合う。第１の従動歯車７９が回転すると回胴部材８４を介して中間平歯車８０が回転し、中間平歯車８０と噛み合う大平歯車８１を介して回転カム６１が弾性部材６８の弾性に抗して時計方向に回転する。回転カム６１が回転すると、係合溝６４に係合している係合杆５９の係合突起６０が係合溝６４の形状に沿って上方に移動し、係合杆５９によって蓋部材４０を支軸３３，３６を中心として開く方向に回動する。
【００４６】
蓋部材４０が上方に開いていくと、蓋部材４０に設けられた磁石片５０に係止具５５が吸着されている玩具体５１が上方に引き出される。玩具体５１は、ガイド突起５６がガイド部材２１の案内溝２３に案内されて上方に移動する。玩具体５１は、摺接突起５７が左案内面２７に沿って摺動し、摺接突起５８が右案内面３０に沿って摺動する。玩具体５１は、摺接突起５７が左案内面２７に形成された左凸起２９に当接してこれを乗り越えると、右側に傾き、摺接突起５８が右案内面３０に形成された右凸起３１に当接してこれを乗り越えると、左側に傾く。玩具体５１は、リング状に形成された係止具５５が磁石片５０と点接触しており、磁石片５０に対して動きやすくなっている。
【００４７】
このように玩具体５１は、蓋部材４０が大きく開くと、連動して上方に移動し、上方に移動する際、左右に傾いて、興趣ある動きをする。玩具箱１は、制御回路９５が、内部プログラムに基づいて駆動モータ７１の駆動軸を一方に回転すると、上記したように、蓋部材４０が閉じ、揺れる動きをするが、そのまま駆動モータ７１を他方向に回転していくと、回転カム６１の押圧突起６６がサブスイッチ９８を押圧し、駆動モータ７１の駆動を停止する。蓋部材４０が大きく開いた状態で停止しており、蓋部材４０の磁石片５０に吸着している玩具体５１を磁石片５０から脱離させて、箱本体２から取りだすことができる。玩具体５１は、係止具５５に紐を通して、室内のフックに引っ掛け、室内で飾っておくことができる。玩具体５１の係止具５５を蓋部材４０の磁石片５０に吸着させておき、音センサ９６が音を検出すると、制御回路９５が、内部プログラムに基づいて駆動モータ７１の駆動軸を他方に回転する。玩具箱１は、蓋部材４０が直ちに閉じ、全体が細かく揺れる動きをする。
【００４８】
上記実施の形態では、玩具体５１は、これの係止具５５を磁石片５０に吸着させて、蓋部材４０に取り付けていたが、蓋部材４０に？マーク状のフックを設け、このフックに係止具５５を引っ掛けて蓋部材４０に取り付けても構わない。
【図面の簡単な説明】
【００４９】
【図１】本願発明に係る玩具箱の一部を切り欠いた上方斜視図である。
【図２】本願発明に係る玩具箱の一部を切り欠いた上方斜視図である。
【図３】本願発明に係る玩具箱の一部を切り欠いた下方斜視図である。
【図４】本願発明に係る玩具箱の下方斜視図である。
【図５】本願発明に係る玩具箱の側面図である。
【図６】本願発明に係る玩具箱の側面断面図である。
【図７】本願発明に係る玩具箱の動作を説明する側面断面図である。
【図８】本願発明に係る玩具箱の動作を説明する上面図である。
【図９】本願発明に係る玩具箱の動作を説明する正面図である。
【図１０】本願発明に係る玩具箱の電気ブロック図である。
【符号の説明】
【００５０】
１  玩具箱
２  箱本体
３  底壁
５  前壁
６  後壁
７  左壁
９  右壁
１０  仕切壁
１１  第１の凹部
１２  第１の底壁
１３  第１の周壁
１５  第２の凹部
１６  第２の底壁
１７  第２の周壁
１８  開口
１９  開口
２０  突起
２１  ガイド部材
２２  係合段部
２３  案内溝
２５  左ガイド壁
２６  右ガイド壁
２７  左案内面
２９  左凸起
３０  右案内面
３１  右凸起
３２  取付板
３３  支軸
３５  取付板
３６  支軸
３８  取付軸
４０  蓋部材
４１  上壁
４２  前壁
４３  後壁
４５  左壁
４６  右壁
４７  軸受け孔
４９  軸受け孔
５０  磁石片（第１の磁石部材）
５１  玩具体
５２  頭部
５３  胴部
５５  係止具（強磁性体）
５６  ガイド突起
５７  摺接突起
５８  摺接突起
５９  係合杆
６０  係合突起
６１  回転カム
６２  カム軸
６３  側面
６４  係合溝
６５  周面
６６  押圧突起
６７  係止ピン
６８  バネ（弾性部材）
７０  駆動装置
７１  駆動モータ
７２  歯車群
７３  ウォーム歯車
７５  移動小歯車
７７  移動ウォーム歯車
７９  第１の従動歯車
８０  中間平歯車
８１  大平歯車
８３  第２の従動歯車
８４  回胴部材
８５  小歯車
８６  回動軸
８７  揺動杆
８９  固定軸
９１  中間軸
９２  第２の爪車
９３  回転軸
９４  第１の爪車
９５  制御回路
９６  音センサ
９７  メインスイッチ
９８  サブスイッチ
１０１  第１の出没部材
１０２  第１の脚部
１０３  先部
１０４  第１の連結部
１０５  第１の取付孔
１０６  第１の押圧片
１０７  先端
１１１  第２の出没部材
１１２  第２の脚部
１１３  先部
１１４  第２の連結部
１１５  第２の取付孔
１１６  第２の押圧片
１１７  先端
【図１】
2006061603.tif 000003
【図２】
2006061603.tif 000004
【図４】
2006061603.tif 000005
【図５】
2006061603.tif 000006
【図６】
2006061603.tif 000007
【図７】
2006061603.tif 000008
【図８】
2006061603.tif 000009
【図９】
2006061603.tif 000010
【図１０】
2006061603.tif 000011
【図３】
2006061603.tif 000012